(57)【要約】【課題】液体サイクロンを利用した水処理システムで発生する汚泥水を処理する。【解決手段】汚泥濃縮槽は、分離槽と、汚泥流入口と、濃縮汚泥流出口と、処理水流出口とを備える。分離槽は、円筒形状の胴体部と、当該胴体部の底辺と接続される漏斗形状の濃縮部を有し、流入した汚泥水を濃縮汚泥と処理水とに分離する。汚泥流入口は、分離槽内で流入する汚泥水が旋回するように胴体部の側面に設けられる。濃縮汚泥流出口は、濃縮部の底部に設けられ、分離槽内で沈降した濃縮汚泥を排出する。処理水流出口は、胴体部の内部又は上面部に設けられ、濃縮汚泥が沈降して得られた処理水を排出する。【選択図】  図１
2013188721.tif 000002
【特許請求の範囲】
【請求項１】
被処理水を清澄化する水処理システムにおいて液体サイクロンで液体と分離された汚泥を含む汚泥水を濃縮する汚泥濃縮槽であって、
円筒形状の胴体部と、当該胴体部の底辺と接続される漏斗形状の濃縮部を有し、流入した汚泥水を濃縮汚泥と処理水とに分離する分離槽と、
前記分離槽内で流入する汚泥水が旋回するように前記胴体部の側面に設けられる汚泥流入口と、
前記濃縮部の底部に設けられ、前記分離槽内で沈降した濃縮汚泥を排出する濃縮汚泥流出口と、
前記胴体部の内部又は上面部に設けられ、濃縮汚泥が沈降して得られた処理水を排出する処理水流出口と、
を備えることを特徴とする汚泥濃縮槽。
【請求項２】
前記汚泥流入口は、前記胴体部の上面より底辺に近い位置に設けられ、
前記処理水流出口は、前記胴体部の上面に設けられる
ことを特徴とする請求項１記載の汚泥濃縮槽。
【請求項３】
前記汚泥流入口は、前記胴体部の底辺より上面に近い位置に設けられ、
前記処理水流出口は、前記胴体部の上面より底面に近い位置であって、円筒の中心軸を含む位置に設けられる
ことを特徴とする請求項１記載の汚泥濃縮槽。
【請求項４】
前記胴体部の側面に設けられ、前記濃縮部の傾きと近似する傾きの整流手段をさらに備えることを特徴とする請求項１乃至３のいずれか記載の汚泥濃縮槽。
【請求項５】
請求項１乃至４のいずれか記載の汚泥濃縮槽と、
前記汚泥流入口と接続される汚泥ラインを流れる汚泥水に凝集助剤を添加する凝集助剤添加手段と、
を備えることを特徴とする汚泥処理システム。
【請求項６】
請求項１乃至４のいずれか記載の汚泥濃縮槽と、
前記濃縮汚泥流出口と接続される濃縮汚泥ライン上に設置され、前記汚泥濃縮槽から引き抜く濃縮汚泥の量を調整する流量調整手段と、
を備えることを特徴とする汚泥処理システム。
【請求項７】
前記流量調整手段は、濃縮汚泥の流出側に設けられるバルブ及びポンプと、処理水の流出側に設けられるバルブであることを特徴とする請求項６記載の汚泥処理システム。
【請求項８】
フロックの沈降速度をａ［ｍ／ｈｒ］、処理水の流出流量をｂ［ｍ3／ｈｒ］、汚泥濃縮槽の断面積をｃ［ｍ2］としたとき、ａ＞（ｂ／ｃ）となるように処理水の流出流量が決定されていることを特徴とする請求項６又は７記載の汚泥処理システム。
【請求項９】
請求項１乃至４のいずれか記載の汚泥濃縮槽と、
濃縮汚泥流出口と接続され、逆洗水を供給可能な逆洗手段と
を備えることを特徴とする汚泥処理システム。
【請求項１０】
被処理水を清澄化する水処理システムにおいて液体サイクロンで液体と分離された汚泥を含む汚泥水を濃縮する汚泥濃縮方法であって、
円筒形状の胴体部と、当該胴体部の底辺と接続される漏斗形状の濃縮部を有し、流入した汚泥水を濃縮汚泥と処理水とに分離する分離槽に、前記胴体部の側面に設けられる汚泥流入口から汚泥水が流入するステップと、
前記分離槽内で、汚泥水が旋回するステップと、
前記濃縮部の底部に設けられる濃縮汚泥流出口から、前記分離槽内で沈降した濃縮汚泥を排出するステップと、
前記胴体部の内部又は上面部に設けられる処理水流出口から、濃縮汚泥が沈降して得られた処理水を排出するステップと、
を備えることを特徴とする汚泥濃縮方法。
【発明の詳細な説明】
【技術分野】
【０００１】
本発明は、液体サイクロンを利用した水処理システムで発生する汚泥水を処理する汚泥濃縮槽、汚泥処理システム及び汚泥処理方法に関する。
【背景技術】
【０００２】
従来、水中の懸濁物質を除去する固液分離の方法として、沈殿槽で重力沈降することが一般的であった。しかしながら、沈殿槽を利用した重力沈降は処理に長い時間が必要である。また、沈殿槽の設置には広いスペースが必要である。
【０００３】
これに対し、近年、液体サイクロンを利用した固液分離が増加しつつある。液体サイクロンを利用する場合、懸濁物質を含む被処理水を液体サイクロンで旋回させて生じる遠心力によって固液分離する。液体サイクロンをすることで、沈殿槽を利用する重力沈降と比較して、短時間かつ省スペースで固液分離を実現することができる。
【先行技術文献】
【特許文献】
【０００４】
【特許文献１】特開２０１０−２１４３６０号公報
【発明の概要】
【発明が解決しようとする課題】
【０００５】
しかしながら、液体サイクロンでは、固形分である懸濁物質を分離する際、この懸濁物質を外部からポンプで発生する圧力を利用して引き抜くことになるが、固形分に加え、水分も多く引き抜かれる。したがって、多量の汚泥水が発生するため、この大量な汚泥水の処理が困難であった。
【０００６】
したがって、本発明は、液体サイクロンを利用した水処理システムで発生する汚泥水を処理する汚泥濃縮槽、汚泥処理システム及び汚泥処理方法を提供する。
【課題を解決するための手段】
【０００７】
実施形態に係る汚泥濃縮槽は、分離槽と、汚泥流入口と、濃縮汚泥流出口と、処理水流出口とを備える。分離槽は、円筒形状の胴体部と、当該胴体部の底辺と接続される漏斗形状の濃縮部を有し、流入した汚泥水を濃縮汚泥と処理水とに分離する。汚泥流入口は、分離槽内で流入する汚泥水が旋回するように胴体部の側面に設けられる。濃縮汚泥流出口は、濃縮部の底部に設けられ、分離槽内で沈降した濃縮汚泥を排出する。処理水流出口は、胴体部の内部又は上面部に設けられ、濃縮汚泥が沈降して得られた処理水を排出する。
【図面の簡単な説明】
【０００８】
【図１】実施形態に係る汚泥濃縮槽と接続される水処理システムを説明する概略図である。
【図２】第１実施形態に係る汚泥濃縮槽を説明する概略図である。
【図３】フロックの沈降速度、図２の汚泥濃縮槽からの処理水の流出、汚泥濃縮槽の断面積の関係を説明する概略図である。
【図４】第２実施形態に係る汚泥濃縮槽を説明する概略図である。
【図５】第３実施形態に係る汚泥濃縮槽を説明する概略図である。
【発明を実施するための形態】
【０００９】
以下に、図面を用いて本発明の各実施形態に係る汚泥濃縮槽について説明する。以下の説明において、同様の構成については同一の符号を用いて説明を省略する。
【００１０】
本発明の実施形態に係る汚泥濃縮槽は、液体サイクロンを用いて被処理水を処理する水処理システムで発生する汚泥を含む汚泥水を処理するものである。液体サイクロンは、固形分を含む被処理水を内部で旋回させて固形分と処理水である液体とに分離しているが、固形分として処理される汚泥は、水分を多く含んでいる。各実施形態に係る汚泥濃縮槽は、水処理システムの液体サイクロンで発生する汚泥水を濃縮汚泥と清澄な処理水とに分離するものである。
【００１１】
［第１実施形態］
図１に示すように、第１実施形態に係る汚泥濃縮槽２４は、汚泥処理システム２内に設けられる。また、この汚泥処理システム２は、固形分を含む被処理水を処理して清澄な処理水とする水処理システム１と接続されている。
【００１２】
〈水処理システム〉
水処理システム１は、供給される被処理水を貯留する原水槽１０と、被処理水に凝集剤を添加する凝集剤添加手段１１と、被処理水に中和剤を添加する中和剤添加手段１３と、被処理水に凝集剤を添加する第１凝集助剤添加手段１５及び第２凝集助剤添加手段１７と、被処理水を攪拌する複数のラインミキサ１２，１４，１６，１８と、被処理水に含まれる固形分でフロックを形成するフロック形成槽１９と、被処理水を流入して清澄な被処理水とフロックとして形成された固形分を含む汚泥水とに分離する液体サイクロン２０とを備えている。
【００１３】
被処理水を貯留する原水槽１０では、例えば、攪拌機１０１を備えており、流出する被処理水に含まれる懸濁物がほぼ一定量になるように被処理水を攪拌している。原水槽１０はラインＬ１と接続されており、原水槽１０で貯留される被処理水は、ポンプＰ１によってラインＬ１を介して送出される。
【００１４】
凝集剤添加手段１１は、ラインＬ１を流れる被処理水に被処理水中の懸濁物質でフロックを形成するために利用する凝集剤を添加する。例えば、凝集剤添加手段１１が添加する凝集剤は、無機凝集剤、無機高分子凝集剤または有機高分子凝集剤等であり、被処理水に含まれる固形分によって異なる。
【００１５】
ラインミキサ１２は、ラインＬ１及びＬ２と接続されている。ラインミキサ１２は、凝集剤添加手段１１によって凝集剤が添加された被処理水をラインＬ１から流入して攪拌する。また、ラインミキサ１２は、凝集剤が均一に分散された被処理水をラインＬ２を介して送出する。
【００１６】
中和剤添加手段１３は、ラインＬ２を流れる被処理水にフロックが形成しやすい水質に調整する中和剤を添加する。例えば、中和剤添加手段１３が添加する中和剤は、酸やアルカリであり、被処理水に含まれる固形分によって異なる。
【００１７】
ラインミキサ１４は、ラインＬ２及びＬ３と接続されている。ラインミキサ１４は、中和剤添加手段１３によって凝集剤が添加された被処理水をラインＬ２から流入して攪拌する。また、ラインミキサ１４は、中和剤が均一に分散された被処理水をラインＬ３を介して送出する。
【００１８】
第１凝集助剤添加手段１５は、ラインＬ３を流れる被処理水に凝集剤によって形成されたフロックを大きく強固にするための凝集助剤を添加する。例えば、第１凝集助剤添加手段１５が添加する凝集助剤は、無機凝集剤、無機高分子凝集剤または有機高分子凝集剤等であり、被処理水に含まれる固形分によって異なる。
【００１９】
ラインミキサ１６は、ラインＬ３及びＬ４と接続されている。ラインミキサ１６は、第１凝集助剤添加手段１５によって凝集助剤が添加された被処理水をラインＬ３から流入して攪拌する。また、ラインミキサ１６は、凝集助剤が均一に分散された被処理水をラインＬ４を介して送出する。
【００２０】
第２凝集助剤添加手段１７は、ラインＬ４を流れる被処理水に再凝集を促がし、フロックをさらに大きく強固にするための凝集助剤を添加する。例えば、第２凝集助剤添加手段１７が添加する凝集助剤は、無機凝集剤、無機高分子凝集剤または有機高分子凝集剤等であり、被処理水に含まれる固形分によって異なる。また、第２凝集助剤添加手段１７が被処理水に添加する凝集助剤は、第１凝集助剤添加手段１５が被処理水に添加する凝集助剤と同一であってもよいし、異なっていてもよい。
【００２１】
ラインミキサ１８は、ラインＬ４及びＬ５と接続されている。ラインミキサ１８は、第２凝集助剤添加手段１７によって凝集助剤が添加された被処理水をラインＬ４から流入して攪拌する。また、ラインミキサ１８は、凝集助剤が均一に分散された被処理水をラインＬ５を介して送出する。なお、第１凝集助剤添加手段１５によって添加される凝集助剤のみでフロックを十分に大きく強固に形成できる場合には、第２凝集助剤添加手段１７およびラインミキサ１８は不要である。
【００２２】
フロック形成槽１９は、ラインＬ５及びＬ６と接続されており、ラインＬ５を介して流入する被処理水に含まれる固形分によって形成されるフロックを大きくかつ強固に形成し、ラインＬ６を介して送出する。
【００２３】
液体サイクロン２０は、ラインＬ６と接続されており、ラインＬ６を介して流入する被処理水を内部で旋回させ、清澄な処理水と、固形分を含む汚泥水とに分離するサイクロン型の固液分離装置である。また、液体サイクロン２０は、ラインＬ７及びＬ８と接続されており、ラインＬ７を介して分離された処理水を送出するとともに、ラインＬ８を介して分離された汚泥水を送出する。
【００２４】
処理水槽２１は、ラインＬ７を介して流入する処理水を貯留した後、ポンプＰ２及びラインＬ９を介して処理水の供給先へ送出する。
【００２５】
また、ラインＬ８を介して送出される汚泥水は、汚泥処理システム２によって処理される。
【００２６】
〈汚泥処理システム〉
汚泥処理システム２は、水処理システム１の液体サイクロン２０で分離された汚泥水に凝集剤を添加する第３凝集助剤添加手段２２と、汚泥水を攪拌するラインミキサ２３と、第１実施形態に係る汚泥濃縮槽２４とを備えている。第１実施形態に係る汚泥濃縮槽２４は図２を用いて後述するように、汚泥水を清澄な処理水と濃縮汚泥とに分離する。また、汚泥処理システム２は、汚泥濃縮槽２４における汚泥水の流れを調整する流量調整手段として、バルブＶ１及びＶ２と、ポンプＰ３とを備えている。さらに、汚泥処理システム２は、汚泥濃縮槽２４の逆洗を調整する手段として、バルブＶ３を備えている。
【００２７】
第３凝集助剤添加手段２２は、ラインＬ８を流れる汚泥水に、汚泥水に含まれる汚泥でさらに大きく強固なフロックを形成するための凝集助剤を添加する。ここで、第３凝集助剤添加手段２２によって凝集助剤を添加してフロックの再凝集を促がすことで、汚泥濃縮槽２４によって回収された濃縮汚泥を脱水等の処理をする際の脱水性が向上され、汚泥処理を容易にすることができる。
【００２８】
例えば、第３凝集助剤添加手段２２が添加する凝集助剤は、無機高分子凝集剤または有機高分子凝集剤等であり、汚泥水に含まれる固形分によって異なる。第３凝集助剤添加手段２２が被処理水に添加する凝集助剤は、第１凝集助剤添加手段１５や第２凝集助剤添加手段１７が添加する凝集助剤と同一であってもよいし、異なっていてもよい。
【００２９】
ラインミキサ２３は、ラインＬ８及びＬ１０と接続されている。ラインミキサ２３は、第３凝集助剤添加手段２２によって凝集助剤が添加された汚泥水をラインＬ４から流入して攪拌する。また、ラインミキサ２３は、凝集助剤が均一に分散された汚泥水をラインＬ１０を介して送出する。
【００３０】
ここで、汚泥処理システム２では、汚泥濃縮槽２４内への汚泥水の流入を調整するため、汚泥濃縮槽２４の流入側にバルブやポンプを設けるのではなく、汚泥濃縮槽２４の流出側に流量調整手段としてポンプＰ３及びバルブＶ１，Ｖ２を設置し、ポンプＰ３とバルブＶ１，Ｖ２で汚泥水の流入を調節している。例えば、汚泥水の流入量を多くする際には、バルブＶ１及びＶ２を開とし、バルブＶ３を閉としてポンプＰ３によって引き抜く濃縮汚泥の量を増加させる。
【００３１】
これは、汚泥濃縮槽２４に流入前にポンプやバルブを利用する場合、液体サイクロン２０までにポンプやバルブで生じる流路面積等に伴う圧力変動で、生成されたフロック及び第３凝集助剤添加手段２２で添加された凝集助剤で大きく強固にされたフロックが破壊され、粉砕されたフロックが処理水とともに汚泥濃縮槽２４から流出するおそれがあるためである。
【００３２】
また、汚泥処理システム２ではラインＬ１３及びバルブＶ３を逆洗手段とし、汚泥濃縮槽２４の排出口が濃縮汚泥で閉塞した場合等には、バルブＶ３を開、バルブＶ１及びＶ２を閉としてラインＬ１２及びＬ１３を介して逆洗水を汚泥濃縮槽２４に導入して汚泥濃縮槽２４を洗浄する。
【００３３】
第１実施形態に係る汚泥濃縮槽２４は、液体サイクロン２０から導入される汚泥水を、遠心力を用いて内部に旋回流を発生させるサイクロン型の処理槽である。ここで、液体サイクロンから排出される汚泥水には水分が多く含まれていることから、サイクロン型の処理槽での処理に適している。具体的には、図２（ａ）の側面図及び図２（ｂ）の断面図に示すように、汚泥濃縮槽２４は、円筒形状の胴体部３１と、胴体部３１に接続される漏斗形状の濃縮部３２とを有している。
【００３４】
胴体部３１は、例えば、高さＨ、直径Ｄの円筒形状である。胴体部３１の側面の下端部近傍には汚泥流入口３１１が形成されている。この汚泥流入口３１１は、ラインＬ１０と接続される。汚泥濃縮槽２４には、ラインＬ１０及び汚泥流入口３１１を介して内部に液体サイクロン２０で分離された汚泥水が流入する。このとき、汚泥流入口３１１は、ラインＬ１０を介して流入する汚泥水を内部で旋回させる位置に形成されている。
【００３５】
また、胴体部３１の上端部にはフランジ３１２が形成され、下端部にはフランジ３１３が形成されている。上端部のフランジ３１２は、処理水流出口３３１を有する閉塞板３３と接続されている。すなわち、胴体部３１の上側開口部は、この閉塞板３３によって閉塞されている。閉塞板３３に形成される処理水流出口３３１は、処理水が流出するラインＬ１１と接続されている。下端部のフランジ３１３は、濃縮部３２のフランジ３２２と接続されている。したがって、胴体部３１の下側開口部は、濃縮部３２で閉塞されている。
【００３６】
濃縮部３２は、例えば、傾き角度θの斜面の漏斗形状に形成されている。濃縮部３２の先端である底部には濃縮汚泥が流出するラインＬ１２と接続される濃縮汚泥流出口３２１を有している。
【００３７】
汚泥濃縮槽２４では、ラインＬ１０を介して流入する汚泥水は槽内で接線方法に導入されて旋回する。このとき、汚泥濃縮槽２４は、汚泥流入口３１１は汚泥濃縮槽２４の上端より中央に近い高さに位置している。したがって、汚泥濃縮槽２４内では、上に進む汚泥水の流れと下に進む汚泥水の流れが発生するとともに、汚泥水に含まれる汚泥で形成されるフロックは、遠心力により内壁に沿って回転する。
【００３８】
具体的には、汚泥濃縮槽２４の内壁周辺部では、汚泥流入口３１１の高さを基準として、少なくとも胴体部３１の直径Ｄと同一の高さか直径Ｄよりも高い位置まで上昇流が発生する。一方、それ以上の高さや内壁周辺部よりも内側の領域では、フロックが沈降する力が上昇流に勝る。したがって、汚泥濃縮槽２４内では、フロックは、汚泥流入口３１１に到達することはなく、その重力によって濃縮部３２の壁面に沿って沈降する。
【００３９】
汚泥濃縮槽２４は、沈降した汚泥を濃縮汚泥として濃縮汚泥流出口３２１を介して外部に流出するとともに、汚泥水から汚泥が分離された処理水を処理水流出口３３１を介して外部に流出する。このとき、濃縮部３２が漏斗形状に構成されているおり、θを汚泥の安息角よりも大きな値とすることで、汚泥濃縮槽２４では、底面付近から発生しがちな汚泥堆積による閉塞や流れの乱れを防止し、重力によって濃縮汚泥流出口３２１に導き、濃縮汚泥を外部に引き抜くことができる。
【００４０】
濃縮汚泥流出口３２１から流出した汚泥は、ラインＬ１２を介して収集されて、廃棄汚泥として処理される。例えば、さらに脱水された後に、焼却される。
【００４１】
処理水流出口３３１から流出される処理水は、液体サイクロン２０で得られる処理水と同程度又はそれ以上に清澄である。したがって、汚泥濃縮槽２４で得られた処理水は、例えば、ラインＬ１１を介して処理水槽２１に送出され、液体サイクロン２０で得られた処理水とともに利用される。
【００４２】
なお、ここでは、汚泥濃縮槽２４は、胴体部３１、濃縮部３２及び閉塞板３３が接続されて形成されるものとして説明したが、これらの一部又は全部が一体として生成されたものであってもよい。
【００４３】
ここで、図５に示すように、汚泥濃縮槽２４への汚泥水の流入量をｅ［ｍ3／ｈｒ］とし、汚泥水に含まれるフロックの沈降速度をａ［ｍ／ｈｒ］とする。なお、この沈降速度ａ［ｍ／ｈｒ］は、予め測定しておく。このとき、汚泥濃縮槽２４内に流入する汚泥水は、上下に分かれて移動し、フロックは、外周部分で濃縮されて次第に沈降分離される。
【００４４】
ここで、処理水流出口３３１からの処理水の流出量をｂ［ｍ3／ｈｒ］とし、濃縮汚泥流出口３２１からの濃縮汚泥の流出量をｆ［ｍ3／ｈｒ］としたとき、処理水の流出量ｂ［ｍ3／ｈｒ］は、ｂ＝ｅ−ｆによって求められる。また、汚泥濃縮槽２４の断面積をｃ［ｍ2］とし、汚泥濃縮槽２４内での上昇流速の平均値をｄ［ｍ／ｈｒ］とすると、平均値ｄ［ｍ／ｈｒ］は、ｄ＝（ｂ／ｃ）によって求められる。
【００４５】
したがって、汚泥濃縮槽２４の内部で常に一定量の上昇流速を有しているのではないが、上昇流速の平均値ｄ［ｍ／ｈｒ］とフロックの沈降速度ａ［ｍ／ｈｒ］との関係がｄ＜ａとなるように流入量及び流出量を設定することで、フロックの処理水流出口３３１からの流出を防止して、汚泥水の処理が可能となる。すなわち、汚泥処理システム２では、液体サイクロンからの汚泥水の流入量ｅに対して、ａ＜ｄとなるようにバルブＶ１，Ｖ２及びポンプＰ３を調整する必要がある。
【００４６】
なお、一般的には、サイクロン型の固液分離槽では、流入する液体の流量の３〜５０％程度の流量を下方向の流出口から引き抜くことが想定されている。
【００４７】
上述した第１実施形態に係る汚泥濃縮槽２４では、液体サイクロンから排出された汚泥水の処理を容易な構成、かつ短時間で実現することができる。また、この汚泥濃縮槽２４は容易な構成で実現することができるため、小規模での汚泥処理が可能となる。
【００４８】
さらに、液体サイクロンを利用した水処理システムでは、液体サイクロン及び第１実施形態に係る汚泥濃縮槽２４を利用することで、沈殿槽での重力沈降を利用した水処理システムと比較して、システム全体を小規模化することができるとともに、処理時間を短縮することができる。
【００４９】
［第２実施形態］
続いて、図４を用いて、第２実施形態に係る汚泥濃縮槽２４Ａについて説明する。汚泥濃縮槽２４Ａは、図１及び図２を用いて上述した汚泥濃縮槽２４と同様に、水処理システム１の液体サイクロン２０で得られた汚泥水を濃縮するものである。
【００５０】
図４に示す汚泥濃縮槽２４Ａは、図２を用いて上述した汚泥濃縮槽２４と比較して、整流手段３１４を備えている点で異なる。整流手段３１４は、例えば、濃縮部３２の傾斜と近似する傾斜角で形成されており、汚泥流入口３１１から流入する汚泥水に含まれるフロックの上昇を遮るとともに、上昇したフロックが降下するように導く。
【００５１】
汚泥濃縮槽２４Ａでは、整流手段３１４により、汚泥流入口３１１付近での上昇流の発生を防止し、フロックの上昇を防止する。また、汚泥濃縮槽２４Ａでは、フロックが胴体部３１にまで上昇したとしても、このフロックは旋回して整流手段３１４に沿って濃縮部３２に移動し、濃縮汚泥流出口３２１から流出される。
【００５２】
上述した第２実施形態に係る汚泥濃縮槽２４Ａでは、液体サイクロンから排出された汚泥水の処理を容易な構成かつ短時間で実現することができる。また、この汚泥濃縮槽２４Ａは容易な構成で実現することができるため、小規模での汚泥処理が可能となる。さらに、整流手段３１４を利用する汚泥濃縮槽２４Ａは、汚泥濃縮槽２４と比較して処理水とともに流出される濃縮汚泥をさらに減少することができる。
【００５３】
［第３実施形態］
次に、図５を用いて、第３実施形態に係る汚泥濃縮槽２４Ｂについて説明する。汚泥濃縮槽２４Ｂは、図１及び図２を用いて上述した汚泥濃縮槽２４と同様に、水処理システム１の液体サイクロン２０で得られた汚泥水を濃縮するものである。
【００５４】
図５に示す汚泥濃縮槽２４Ｂは、図２を用いて上述した汚泥濃縮槽２４と比較して、汚泥流入口３１１が胴体部３１の側面上端部付近に開口されている点で異なる。また、汚泥濃縮槽２４Ｂは、閉塞板３３には処理水流出口３３１に代えて開口部３３１ａを備え、ラインＬ１１がこの開口部３３１ａを通過して汚泥濃縮槽２４の内部まで挿入され、ラインＬ１１の端部が汚泥流出口３３１ｂとなっている点で異なる。また、開口部３３１ａは閉塞板３３のほぼ中心に形成されており、汚泥流出口３３１ｂは、円筒の中心軸、すなわち汚泥水の旋回流の中心軸を含む位置に存在する。
【００５５】
したがって、汚泥濃縮槽２４では汚泥水が上に移動する流れと下に移動する流れとが生じていたのに対し、汚泥濃縮槽２４Ｂでは、汚泥水が下に移動する流れのみを形成し、フロックも回転しながら胴体部３１の側壁に移動するとともに、濃縮部３２に沿って濃縮汚泥流出口３２１を介して流出される。このように、フロックは旋回して汚泥濃縮槽２４Ｂの中心ではなく外側かつ下方向に移動するため、処理水排流口３３１ｂには到達せずに、濃縮汚泥流出口３２１から流出させることができる。
【００５６】
上述した第３実施形態に係る汚泥濃縮槽２４Ｂでは、液体サイクロンから排出された汚泥水の処理を容易な構成かつ短時間で実現することができる。また、この汚泥濃縮槽２４Ｂは容易な構成で実現することができるため、小規模での汚泥処理が可能となる。さらに、を利用する汚泥濃縮槽２４Ｂは、汚泥濃縮槽２４と比較してフロックの動きを下向きに整流することで固液分離を効率的にすることができる。
【００５７】
上記のように、本発明を各実施形態によって記載したが、この開示の一部をなす論述および図面はこの発明を限定するものであると理解すべきではない。この開示から当業者には様々な代替実施形態、実施例および運用技術が明らかとなる。また、本発明はここでは記載していない様々な実施形態等を含むことは勿論である。
【符号の説明】
【００５８】
１…水処理システム
１０…原水槽
１０１…攪拌機
１１…凝集剤添加手段
１３…中和剤添加手段
１５…第１凝集助剤添加手段
１７…第２凝集助剤添加手段
１２，１４，１６，１８…ラインミキサ
１９…フロック形成槽
２０…液体サイクロン
２１…処理水槽
２…汚泥処理システム
２２…第３凝集助剤添加手段
２３…ラインミキサ
２４，２４Ａ，２４Ｂ…汚泥濃縮槽
３１…胴体部
３１１…汚泥流入口
３１２，３１３…フランジ
３２…濃縮部
３２１…濃縮汚泥流出口
３３…閉塞板
３３１…処理水流出口
３３１ａ…開口
３３１ｂ…汚泥排出口
【図１】
2013188721.tif 000003
【図２】
2013188721.tif 000004
【図３】
2013188721.tif 000005
【図４】
2013188721.tif 000006
【図５】
2013188721.tif 000007